(57)【要約】      （修正有）【課題】畳を利用したときに体の不快さが感じやすいという問題を解決する、折りたたみ・変形が容易なクッションを提供する。【解決手段】クッションフレーム７の一側に回転可能に接続される寄りかかりフレーム１と、クッションフレームの一側に接続ブロック６が固定して接続され、寄りかかりフレームの一側に接続スリーブ５が固定して接続され、接続ブロックの間に接続軸が固定して接続され、接続スリーブは接続軸の外に回転可能に接続され、接続軸の両端にはロックリングが摺動可能に設けられ、ロックリングは接続軸にスプライン接続され、接続スリーブを向くロックリングの一側に複数のロックロッド４が固定して接続され、接続スリーブの両端ともにロックロッドが挿入し得るロック孔が複数開けられ、すべての接続ブロックにプルリングが摺動可能に設けられ、プルリングの両端はロックリングとハンドルが固定して接続される。【選択図】図２
0003233751.tif 000002
【実用新案登録請求の範囲】
【請求項１】
折りたたみ・変形が容易なクッションであって、
クッションフレームと、クッションフレームの一側に回転可能に接続される寄りかかりフレームとを含み、クッションフレームの一側に接続ブロックが固定して接続され、寄りかかりフレームの一側に接続スリーブが固定して接続され、接続ブロックの間に接続軸が固定して接続され、接続スリーブは接続軸の外に回転可能に接続され、接続軸の両端にはロックリングが摺動可能に設けられ、ロックリングは接続軸にスプライン接続され、接続スリーブを向くロックリングの一側に複数のロックロッドが固定して接続され、接続スリーブの両端ともにロックロッドが挿入し得るロック孔が複数開けられ、すべての接続ブロックにプルリングが摺動可能に設けられ、プルリングの一端はロックリングに固定して接続され、プルリングの他端にハンドルが固定して接続され、接続ブロックとロックリングとの間に複数の高性能ばねが固定して接続され、クッションフレームと寄りかかりフレームの両方にクッション詰め綿が設けられる、ことを特徴とする折りたたみ・変形が容易なクッション。
【請求項２】
前記クッションフレームと寄りかかりフレームのいずれの内部にも蛇状ばねが固定して接続される、ことを特徴とする請求項１に記載の折りたたみ・変形が容易なクッション。
【請求項３】
前記クッション詰め綿は蛇状ばねに設けられる、ことを特徴とする請求項１又は２に記載の折りたたみ・変形が容易なクッション。
【請求項４】
前記クッション詰め綿は高反発スポンジである、ことを特徴とする請求項３に記載の折りたたみ・変形が容易なクッション。
【請求項５】
前記クッションフレームと寄りかかりフレームとの接続部に円弧状支え軸が設けられる、ことを特徴とする請求項１に記載の折りたたみ・変形が容易なクッション。
【請求項６】
前記クッション詰め綿外にメッシュが被覆されていえる、ことを特徴とする請求項１に記載の折りたたみ・変形が容易なクッション。
【請求項７】
前記クッションフレームの寄りかかりフレームから離れた一側にカウンターウェイトが固定して接続される、ことを特徴とする請求項１に記載の折りたたみ・変形が容易なクッション。
【考案の詳細な説明】
【技術分野】
【０００１】
本考案は、日用品の技術分野に関し、具体的には、折りたたみ・変形が容易なクッションを開示する。
【背景技術】
【０００２】
畳は生活に便利さをもたらす日用品の一種であり、伝統的な畳は通常全体のものであり、使いやすさから、畳の真ん中にテーブルを置いたり、コーヒーテーブルなどの物品をテーブルに置いたりすることができ、畳は、中国の漢王朝から出現し、隋王朝と唐王朝で発展・普及した中国の家具であり、唐王朝の最盛期に日本と韓国に広まり、中国の西安での王家の墓では畳シリーズの製品が使用されており、唐王朝以降、スツールや高床が普及し、畳が中国で徐々に衰退していき、都市化のプロセスがますます速くなるに伴い、生活の質を高めるために家に適切な畳を設置する人が増えている。
【０００３】
しかし、スツールや高床に完全に適している現代社会では、畳を利用したときに、畳の上に足を組んで座るのにうまく適応できない人が多く、畳を長時間使用すると、足がしびれやすくなったりするなど、体の不快さが生じやすい。したがって、上記の問題を解決するために、折りたたみ・変形が容易なクッションを提供する
【考案の概要】
【考案が解決しようとする課題】
【０００４】
本考案の目的は、従来の畳を利用した場合に体の不快さが感じやすいという問題を解決することである。
【課題を解決するための手段】
【０００５】
上記目的を達成するために、本考案の基本的な技術案は、折りたたみ・変形が容易なクッションであって、
クッションフレームと、クッションフレームの一側に回転可能に接続される寄りかかりフレームとを含み、クッションフレームの一側に接続ブロックが固定して接続され、寄りかかりフレームの一側に接続スリーブが固定して接続され、接続ブロックの間に接続軸が固定して接続され、接続スリーブは接続軸の外に回転可能に接続され、接続軸の両端にはロックリングが摺動可能に設けられ、ロックリングは接続軸にスプライン接続され、接続スリーブを向くロックリングの一側に複数のロックロッドが固定して接続され、接続スリーブの両端ともにロックロッドが挿入し得るロック孔が複数開けられ、
すべての接続ブロックにプルリングが摺動可能に設けられ、プルリングの一端はロックリングに固定して接続され、プルリングの他端にハンドルが固定して接続され、接続ブロックとロックリングとの間に複数の高性能ばねが固定して接続され、クッションフレームと寄りかかりフレームの両方にクッション詰め綿が設けられる、折りたたみ・変形が容易なクッションを提供する。
【０００６】
この基本的な技術案の原理及び効果は以下のとおりである。
１、寄りかかりフレームが接続スリーブと接続軸を介してクッションフレームに回転可能に接続され、それにより、使用者のニーズに応じて、様々な角度に調整することができ、使用しないとき、寄りかかりフレームとクッションフレームとを折り畳んで一体にすると、収納しやすくなる。
２、寄りかかりフレームの角度を調整する際に、２つのハンドルを接続軸と反対の方向に引き出し、そうすると、ロックリング及びロックリングに固定して接続された複数のロックロッドも接続軸と反対の方向に引き出され、ロックロッドがロック孔から抜け、接続スリーブ及び接続スリーブに固定して接続された背もたれが自在に回転して、角度を調整することが可能になる。
３、寄りかかりフレームの角度調整が終了した後、ハンドルを離すと、ロックリングが高性能ばねを介して元の位置に弾性的に戻り、ロックリングに固定して接続されたロックロッドがロック孔に挿入されるように付勢され、ロックリングがスプラインスロットに摺動可能に設けられるため、ロックリングの回転がなく、このとき、接続スリーブが固定され、使用する際には背もたれにも角度の変化が発生しない。
【０００７】
従来技術に比べて、本変形可能なクッションは、椅の使用を模倣するために背もたれを追加するだけではなく、使用中、使用者のニーズに応じて背もたれの角度を変えたりすることができ、操作されやすく、快適性が高く、幅広く普及することに適している。
【０００８】
さらに、前記クッションフレームと寄りかかりフレームのいずれの内部にも蛇状ばねが固定して接続される。蛇状ばね付きソファーは柔軟性が高く、使用者の快適性を向上させる。
【０００９】
さらに、前記クッション詰め綿は蛇状ばねに設けられる。蛇状ばねはクッション詰め綿であってもよい。
【００１０】
さらに、前記クッション詰め綿は高反発スポンジである。高反発スポンジは、使用終了後、素早く回復可能であり、窪みの発生を回避できる。
【００１１】
さらに、前記クッションフレームと寄りかかりフレームとの接続部に円弧状支え軸が設けられる。使用する際に使用者の腰部を支える。
【００１２】
さらに、前記クッション詰め綿外にメッシュが被覆されている。折り畳み箇所にメッシュが使用されることにより、折り畳みによるしわが発生しにくい。
【００１３】
さらに、前記クッションフレームの寄りかかりフレームから離れた側にカウンターウェイトが固定して接続される。使用する際に変形可能なクッションに安定性を付与できる。
【図面の簡単な説明】
【００１４】
図１は本考案の実施例の折りたたみ・変形が容易なクッションの接続軸部の部分断面図である。
図２は本考案の実施例の折りたたみ・変形が容易なクッションの構造模式図である。
図３は本考案の実施例の折りたたみ・変形が容易なクッションの接続套の左面図である。
【考案を実施するための形態】
【００１５】
以下、特定実施形態にてさらに詳細に説明する。
【００１６】
明細書の図面における符号は、寄りかかりフレーム１、蛇状ばね２、ハンドル３、ロックロッド４、接続スリーブ５、接続ブロック６、クッションフレーム７、ロックリング８、プルリング９、接続軸１０、高性能ばね１１、カウンターウェイト１２、ロック孔１３を含む。
【００１７】
折りたたみ・変形が容易なクッションの実施例では、図２に示すように、クッションフレーム７と寄りかかりフレーム１のいずれの内部にも複数の蛇状ばね２が固定して接続され、クッションフレーム７と寄りかかりフレーム１との接続部に円弧状支え軸が溶接され、クッションフレーム７の前側にカウンターウェイト１２が溶接され、クッションフレーム７の後側に２つの接続ブロック６が対称的に溶接され、寄りかかりフレーム１の前側に接続スリーブ５が溶接され、２つの接続ブロック６の間に接続軸１０が溶接され、図１に示すように、接続スリーブ５は接続軸１０外に回転可能に接続され、接続軸１０の両端に１組のスプラインスロットが対称的に加工され、ロックリング８はスプラインスロットを介して接続軸１０に摺動可能に接続され、接続スリーブ５を向くロックリング８の一側に８つのロックロッド４が溶接され、図１及び図３に示すように、接続スリーブの両端ともに、ロックロッド４が挿入し得るロック孔１３が８つ開けられ、ロック孔１３のそれぞれには、ロックロッド４の挿入を容易にするための面取りが加工される。
【００１８】
図１に示すように、それぞれの接続ブロック６内に、１つのプルリング９が摺動可能に設けられ、プルリング９は、接続軸１０に近い一端がロックリング８に溶接され、接続軸１０と反対の一端にハンドル３が溶接され、接続ブロック６とロックリング８との間に複数の高性能ばね１１が溶接され、クッション詰め綿は蛇状ばね２に設けられ、クッション詰め綿は高反発スポンジであり、クッション詰め綿外にメッシュが被覆されている。
【００１９】
使用するに先立って、本変形可能なクッションを畳に置き、次に、使用者のニーズに応じて寄りかかりフレーム１の角度を調整し、２つのハンドル３が使用者により接続軸１０と反対の方向へ引き出されると、ロックリング８及びロックリング８に固定して接続された８つのロックロッド４も接続軸１０と反対の方向へ引き出され、ロックロッド４がロック孔１３から抜け、接続スリーブ５及び接続スリーブ５に固定して接続された背もたれが自在に回転して、角度を調整することが可能になり、寄りかかりフレーム１の角度調整が終了した後、ハンドル３を離すと、ロックリング８が高性能ばね１１を介して元の位置に弾性的に戻り、ロックリング８に固定して接続されたロックロッド４がロック孔１３に挿入されるように付勢され、ロックリング８がスプラインスロットに摺動可能に設けられるため、ロックリング８の回転がなく、このとき、接続スリーブ５が固定され、使用する際には背もたれにも角度の変化が発生することはなく、そうすると、使用者は本変形可能なクッションを使用できるようになる。
【００２０】
本考案変形可能なクッションは、椅の使用を模倣するために背もたれを追加するだけではなく、使用中、使用者のニーズに応じて背もたれの角度を変えたりすることができ、操作されやすく、快適性が高く、幅広く普及することに適している。
【００２１】
以上は本考案の実施例に過ぎず、態様での公知の具体的な構造及び特徴などの常識について、ここでは詳しく説明していないが、当業者は、出願日又は優先権日よりも前の本考案の技術分野におけるすべての一般的な技術的知識を備え、この分野におけるすべての従来技術を入手でき、そして、この日期前の一般的な実験手段を利用する能力を有し、本出願による示唆に基づいて、自体の能力と組み合わせて、本技術案を改良して実施することができ、いくつかの典型的な公知構造又は公知方法は当業者が本出願を実施する支障とならない。なお、当業者であれば、本考案の構成を逸脱することなく、複数の変形や改良を行うこともでき、これらも本考案の特許範囲とみなすべきであり、本考案の実施効果及び特許の実用性に影響を与えることはない。本出願が特許する保護範囲は特許請求の範囲の内容に準じるべきであり、明細書の考案を実施するための形態などの記載は特許請求の範囲の内容の解釈に用いられ得る。
【図１】
0003233751.tif 000003
【図２】
0003233751.tif 000004
【図３】
0003233751.tif 000005
【手続補正書】
【提出日】令和3年7月23日(2021.7.23)
【手続補正１】
【補正対象書類名】明細書
【補正対象項目名】００１４
【補正方法】変更
【補正の内容】
【００１４】
【図１】図１は本考案の実施例の折りたたみ・変形が容易なクッションの接続軸部の部分断面図である。
【図２】図２は本考案の実施例の折りたたみ・変形が容易なクッションの構造模式図である。
【図３】図３は本考案の実施例の折りたたみ・変形が容易なクッションの接続套の左面図である。